(57)【要約】【課題】使用するときに発生する振動を低減させる電気バリカンの防振装置を提供する。【解決手段】電気バリカンの防振装置は、バランスモジュール２及びクランクシャフト３を備える。バランスモジュール２は、バランスピース２１及び揺動部材２２を有する。バランスピース２１には、凹溝２１１が設けられ、揺動部材２２は、バランスピース２１の両端部に、一方の端部がそれぞれ枢着され、枢着孔２２１を他方の端部に有する。クランクシャフト３は、段差状に接続された第１のクランク３１及び第２のクランク３２を有する。第１のクランク３１の端部は、偏心方式によりモータ１１の回転軸部１１１と連結する。第２のクランク３２は、バランスピース２１の凹溝２１１に係合され、バリカン刃１３の接続溝１３１に接続された端部を有する。バランスピース２１には、凹溝２１１が設けられている。【選択図】図３
0003166789.tif 000002
【実用新案登録請求の範囲】
【請求項１】
バランスモジュール及びクランクシャフトを備える電気バリカンの防振装置であって、
前記バランスモジュールは、バランスピース及び揺動部材を有し、
前記バランスピースには、凹溝が設けられ、
前記揺動部材は、前記バランスピースの両端部に、一方の端部がそれぞれ枢着され、枢着孔を他方の端部に有し、
前記クランクシャフトは、段差状に接続された第１のクランク及び第２のクランクを有し、
前記第１のクランクの端部は、偏心方式によりモータの回転軸部と連結し、
前記第２のクランクは、前記バランスピースの前記凹溝に係合され、バリカン刃の接続溝に接続された端部を有することを特徴とする電気バリカンの防振装置。
【請求項２】
前記バランスピースには、前記凹溝が設けられ、
前記凹溝の左右近傍又は前記バランスピースの両端部には、バランスウェイトを嵌入する凹孔がそれぞれ設けられていることを特徴とする請求項１に記載の電気バリカンの防振装置。
【請求項３】
バランスモジュール及びクランクシャフトを備える電気バリカンの防振装置であって、
前記バランスモジュールは、バランスピース及び揺動部材を有し、
前記バランスピースには、凹溝が設けられ、前記バランスピースの両端部には、バランスウェイトを嵌入する凹孔が設けられ、前記凹孔の外側には、突片部がそれぞれ延設され、
前記揺動部材は、前記突片部に一方の端部が枢着され、枢着孔を他方の端部に有し、
前記クランクシャフトは、段差状に接続された第１のクランク及び第２のクランクを有し、
前記第１のクランクの端部は、偏心方式によりモータの回転軸部と連結し、
前記第２のクランクは、前記バランスピースの前記凹溝に係合され、バリカン刃の接続溝に接続された端部を有することを特徴とする電気バリカンの防振装置。
【請求項４】
バランスモジュール及びクランクシャフトを備える電気バリカンの防振装置であって、
前記バランスモジュールは、スライド溝中で底部が自在に変位するバランスピースを有し、
前記クランクシャフトは、段差状に接続された第１のクランク及び第２のクランクを有し、
前記第１のクランクの端部は、偏心方式によりモータの回転軸部と連結し、
前記第２のクランクは、前記バランスピースの凹溝に係合され、バリカン刃の接続溝に接続された端部を有することを特徴とする電気バリカンの防振装置。
【考案の詳細な説明】
【技術分野】
【０００１】
本考案は、電気バリカンの防振装置に関し、特に、使用するときに発生する振動を低減させる電気バリカンの防振装置に関する。
【背景技術】
【０００２】
現代人は、身だしなみを重要視しており、他人と会う際やビジネスシーンなどでは適切な身だしなみが最低限のマナーであるため、定期的に散髪し、整った身だしなみを保つことが求められている。散髪には、ハサミ及び電気バリカンが一般に用いられるが、従来の電気バリカンは理想的でなかった。
【０００３】
図１及び図２を参照する。図１及び図２に示すように、従来の電気バリカンのモータ１１の回転軸部１１１は、偏心軸１２に接続されている。偏心軸１２の端部は、バリカン刃１３の接続溝１３１の中に嵌入されており、偏心軸１２が回転するとバリカン刃１３が左右に往復運動して髪を切る。しかし、バリカン刃１３が高速で左右に往復運動するとき、偏心回転の影響により横方向に遠心力が生じるため、電気バリカン１に振動が発生し(図２参照)、電気バリカン１を操作するときに発生する振動により、ユーザが不快に感じることがあった。
【０００４】
また、従来の電気バリカンでは、発生する振動が操作に悪影響を与え、長時間使用した場合、例えば、振動により電気バリカンを手から落とし、ユーザが怪我をすることがあった。そのため、使用するときに発生する振動を低減させ、操作する際の安全性が高い電気バリカンが求められていた。
【考案の概要】
【考案が解決しようとする課題】
【０００５】
本考案の目的は、バランスモジュールをバリカン刃と逆の方向に動かし、バリカン刃と逆の方向に遠心力を発生させることにより、バリカン刃の往復運動により発生する振動を低減させることができる電気バリカンの防振装置を提供することにある。
【課題を解決するための手段】
【０００６】
上記課題を解決するために、バランスモジュール及びクランクシャフトを備える電気バリカンの防振装置であって、前記バランスモジュールは、バランスピース及び揺動部材を有し、前記バランスピースには、凹溝が設けられ、前記揺動部材は、前記バランスピースの両端部に、一方の端部がそれぞれ枢着され、枢着孔を他方の端部に有し、前記クランクシャフトは、段差状に接続された第１のクランク及び第２のクランクを有し、前記第１のクランクの端部は、偏心方式によりモータの回転軸部と連結し、前記第２のクランクは、前記バランスピースの前記凹溝に係合され、バリカン刃の接続溝に接続された端部を有することを特徴とする電気バリカンの防振装置が提供される。
【０００７】
前記バランスピースには、前記凹溝が設けられ、前記凹溝の左右近傍又は前記バランスピースの両端部には、バランスウェイトを嵌入する凹孔がそれぞれ設けられていることが好ましい。
【０００８】
上記課題を解決するために、バランスモジュール及びクランクシャフトを備える電気バリカンの防振装置であって、前記バランスモジュールは、バランスピース及び揺動部材を有し、前記バランスピースには、凹溝が設けられ、前記バランスピースの両端部には、バランスウェイトを嵌入する凹孔が設けられ、前記凹孔の外側には、突片部がそれぞれ延設され、前記揺動部材は、前記突片部に一方の端部が枢着され、枢着孔を他方の端部に有し、前記クランクシャフトは、段差状に接続された第１のクランク及び第２のクランクを有し、前記第１のクランクの端部は、偏心方式によりモータの回転軸部と連結し、前記第２のクランクは、前記バランスピースの前記凹溝に係合され、バリカン刃の接続溝に接続された端部を有することを特徴とする電気バリカンの防振装置が提供される。
【０００９】
上記課題を解決するために、バランスモジュール及びクランクシャフトを備える電気バリカンの防振装置であって、前記バランスモジュールは、スライド溝中で底部が自在に変位するバランスピースを有し、前記クランクシャフトは、段差状に接続された第１のクランク及び第２のクランクを有し、前記第１のクランクの端部は、偏心方式によりモータの回転軸部と連結し、前記第２のクランクは、前記バランスピースの凹溝に係合され、バリカン刃の接続溝に接続された端部を有することを特徴とする電気バリカンの防振装置が提供される。
【考案の効果】
【００１０】
本考案の電気バリカンの防振装置は、バランスモジュールをバリカン刃と逆の方向に動かし、バリカン刃と逆の方向に遠心力を発生させることにより、バリカン刃の往復運動により発生する振動を低減させることができる。
【図面の簡単な説明】
【００１１】
【図１】従来の電気バリカンのバリカン刃が作動するときの状態を示す斜視図である。
【図２】従来の電気バリカンを使用して振動が発生するときの状態を示す模式図である。
【図３】本考案の第１実施形態による防振装置を示す分解斜視図である。
【図４】本考案の第１実施形態による防振装置の構造を示す斜視図である。
【図５】本考案の第１実施形態による防振装置がハウジングに固定される前の状態を示す分解斜視図である。
【図６Ａ】本考案の第１実施形態による防振装置の作動状態を示す斜視図である。
【図６Ｂ】本考案の第１実施形態による防振装置の作動状態を示す斜視図である。
【図７Ａ】本考案の第２実施形態によるバランスモジュールを示す斜視図である。
【図７Ｂ】本考案の第３実施形態によるバランスモジュールを示す斜視図である。
【図７Ｃ】本考案の第４実施形態によるバランスモジュールを示す分解斜視図である。
【図８】本考案の第５実施形態によるバランスモジュールがハウジングに固定される前の状態を示す分解斜視図である。
【考案を実施するための形態】
【００１２】
以下、本考案の実施形態について図に基づいて説明する。なお、これによって本考案が限定されるものではない。
【００１３】
（第１実施形態）
図３及び図４を参照する。図３及び図４に示すように、本考案の第１実施形態による電気バリカンの防振装置は、バランスモジュール２及びクランクシャフト３を有する。
【００１４】
バランスモジュール２は、バランスピース２１及び揺動部材２２を有する。バランスピース２１には、凹溝２１１が設けられている。揺動部材２２は、バランスピース２１の両端部に、一方の端部がそれぞれ枢着され、ハウジング４の凹柱４１へ可動可能に嵌合される枢着孔２２１を他方の端部に有する(図５参照)。
【００１５】
クランクシャフト３は、段差状に接続された第１のクランク３１及び第２のクランク３２を有する。第１のクランク３１の端部は、偏心方式によりモータ１１の回転軸部１１１と連結する。第２のクランク３２は、バランスピース２１の凹溝２１１に係合され、バリカン刃１３の接続溝１３１に端部が接続される。
【００１６】
図６Ａを参照する。図６Ａに示すように、第１のクランク３１と第２のクランク３２とが段差状に形成されているため、モータ１１の回転軸部１１１の駆動により、クランクシャフト３が運動位置Ａまで回転し、第２のクランク３２によりバリカン刃１３が順方向(点線矢印が示す方向)に移動すると、バリカン刃１３が動く方向とは逆方向(実線矢印の方向)に、バランスモジュール２上のバランスピース２１が第１のクランク３１により移動する。図６Ｂに示すように、同じ道理により、モータ１１の回転軸部１１１が駆動し続け、クランクシャフト３が運動位置Ｂまで回転すると、第２のクランク３２によりバリカン刃１３が逆方向(点線矢印の方向)に移動し、第１のクランク３１により、バリカン刃１３が動く方向とは逆の方向（即ち、順方向）(実線矢印方向)に、バランスモジュール２上のバランスピース２１が移動する。即ち、モータ１１の回転軸部１１１により、クランクシャフト３が偏心回転すると、バリカン刃１３が移動し、バランスモジュール２は、バリカン刃１３が動く方向とは逆の方向に移動し、バリカン刃１３の移動方向とは逆方向に遠心力が発生する。このように作用力を互いに打ち消すことができるため、従来の電気バリカンの問題点であった振動を低減させることができる。
【００１７】
（第２実施形態）
図７Ａを参照する。図７Ａに示すように、本考案の第２実施形態によるバランスモジュール２は、バランスピース２１及び揺動部材２２を有する。バランスピース２１には、凹溝２１１が設けられている。バランスピース２１の両端部には、バランスウェイト２３を嵌入するために用いる凹孔２１２が設けられている。揺動部材２２は、両端部に設けられた凹孔２１２と凹溝２１１との間に、一方の端部がそれぞれ枢着され、バランスモジュール２をハウジングに嵌合固定するために用いる枢着孔２２１を他方の端部に有する。そのため、おもりにより重さを増やし、振動を低減させることができる。
【００１８】
（第３実施形態）
図７Ｂを参照する。図７Ｂに示すように、本考案の第３実施形態によるバランスモジュール２は、バランスピース２１及び揺動部材２２を有する。バランスピース２１には、凹溝２１１が設けられている。凹溝２１１の左右近傍には、バランスウェイト２３を嵌入するために用いる凹孔２１２がそれぞれ設けられている。揺動部材２２は、バランスピース２１の両端部が一方の端部にそれぞれ枢着され、バランスモジュール２をハウジング上に嵌合固定するために用いる枢着孔２２１が他方の端部に設けられている。そのため、おもりにより重さを増やし、振動を低減させることができる。
【００１９】
（第４実施形態）
図７Ｃを参照する。図７Ｃに示すように、本考案の第４実施形態によるバランスモジュール５は、バランスピース５１及び揺動部材５２を有する。バランスピース５１には、凹溝５１１が設けられている。凹溝５１１の左右近傍には、おもり５３を嵌合するために用いる凹孔５１２がそれぞれ設けられている。凹孔５１２の外側には、揺動部材５２が枢着された突片部５１３がそれぞれ延設されている。揺動部材５２は、柱状であり、突片部５１３が一方の端部に枢着され、枢着孔５２１が他方の端部に設けられている。バランスモジュール５は、枢着孔５２１を介してハウジング上に嵌合固定される。そのため、取り付ける際の必要に応じ、モジュール化された部品を自在に配置し、容易に組み合わせることができる。
【００２０】
（第５実施形態）
図８を参照する。図８に示すように、本考案の第５実施形態によるバランスモジュールは、バランスピース６１及びスライド溝６２を有する。スライド溝６２は、バランスピース６１をスライドさせるために用い、ハウジング４に設けられている。バランスピース６１がクランクシャフト３により、スライド溝６２内で往復運動すると、バリカン刃１３に発生する遠心力を低減させることができる。スライド溝６２は、構造が簡素なため、係合させて組み合わせることが容易である上、製造コストを減らすことができる。
【００２１】
上述したことから分かるように、本考案は以下（１）及び（２）の長所を有する。
（１）バランスモジュールとバリカン刃とを互いに逆方向へ運動させることにより、バリカン刃及び逆方向に遠心力が生じ、バリカン刃の往復運動により生じる振動を低減させることにより、ユーザが使用するときに感じる不快感を低減させることができる。
（２）電気バリカンのハウジング内の配置の必要に応じ、取り付けたり改造したりすることができるため、各種電気バリカンに応用することができる。
【００２２】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２３】
１  電気バリカン
２  バランスモジュール
３  クランクシャフト
４  ハウジング
５  バランスモジュール
１１  モータ
１２  偏心軸
１３  バリカン刃
２１  バランスピース
２２  揺動部材
２３  バランスウェイト
３１  第１のクランク
３２  第２のクランク
４１  凸柱
５１  バランスピース
５２  揺動部材
５３  おもり
６１  バランスピース
６２  スライド溝
１１１  回転軸部
１３１  接続溝
２１１  凹溝
２１２  凹孔
２２１  枢着孔
５１１  凹溝
５１２  凹孔
５１３  突片部
５２１  枢着孔
【図１】
0003166789.tif 000003
【図２】
0003166789.tif 000004
【図３】
0003166789.tif 000005
【図４】
0003166789.tif 000006
【図５】
0003166789.tif 000007
【図６Ａ】
0003166789.tif 000008
【図６Ｂ】
0003166789.tif 000009
【図７Ａ】
0003166789.tif 000010
【図７Ｂ】
0003166789.tif 000011
【図７Ｃ】
0003166789.tif 000012
【図８】
0003166789.tif 000013